(57)【要約】      （修正有）【課題】ステータを効果的に隔離して電気的安全性を保証することができる液体ポンプを提供する。【解決手段】液体ポンプは、ハウジング１０、ハウジングに固定されるモータ１２、及びモータにより駆動されるインペラを含む。モータは、ステータとそのステータに対して回転可能なロータとを含む。インペラは、モータのロータに連結される。ハウジングは、ステータを取り囲むガイド壁１８と、ガイド壁へ流れる液体をステータから遠ざかる方向に流れるように導くためにガイド壁の外面から外方に延びるガイド面２８とを含み、これによって液体ポンプの電気的安全性が保証される。【選択図】図２
2017082763.tif 000002
【特許請求の範囲】
【請求項１】
ハウジングと、
前記ハウジングに固定され、ステータと前記ステータに対して回転可能なロータとを備えるモータと、
前記モータの前記ロータに連結されるインペラと、
を備える液体ポンプであって、
前記ハウジングは前記ステータを取り囲むガイド壁と、前記ガイド壁へ流れる液体を前記ステータから遠ざかる方向に流れるように案内するために前記ガイド壁の外面から外方に延びるガイド面とを含む、液体ポンプ。
【請求項２】
前記ガイド壁はＣ字形状であり、前記ガイド壁の中間部は前記ガイド面から接線方向に下方へ延び、前記ガイド面の下端部は前記ガイド壁の下側部分から離間しており、前記液体は前記ガイド壁の上側部分に沿って下方へ流れ、連続的に流れてガイド面に沿って外部へ排出される、請求項１に記載の液体ポンプ。
【請求項３】
前記ガイド面は、垂直平面、又は内方に凹形の弧面、又は垂直平面に対して前記ステータから離れる側に所定の角度だけ偏向する平面である、請求項１又は２に記載の液体ポンプ。
【請求項４】
前記モータは水平方向に配置され、前記ガイド壁の中間部は前記モータのシャフトの中心軸と同じ高さであり、前記ガイド面の下端部は前記モータの前記中心軸より低い、請求項１〜３のいずれかに記載の液体ポンプ。
【請求項５】
フランジは前記ガイド壁の縁部から垂直かつ上方へ延び、前記フランジは前記液体の水平方向流れを遮断するために前記ガイド面の下端部まで延びる、請求項１〜４のいずれかに記載の液体ポンプ。
【請求項６】
前記ステータはＵ字形状の磁心と前記磁心の周りに巻き付けられた巻線とを備え、前記磁心は１対の磁極を成し、前記ロータは永久磁石ロータであって前記ロータの前記磁極間の空間に回転可能に配置される、請求項１〜５のいずれかに記載の液体ポンプ。
【請求項７】
前記ハウジングは円筒状スリーブをさらに含み、前記ロータは前記スリーブに受け入れられ、前記ステータの前記磁極は前記スリーブの周りに取り付けられ、前記スリーブは前記ロータ及び前記インペラから前記ステータを隔離する、請求項１〜６のいずれかに記載の液体ポンプ。
【請求項８】
前記スリーブの外壁面には、それぞれ前記ステータの前記２つの磁極に当接する２つの位置決め部が形成される、請求項７に記載の液体ポンプ。
【請求項９】
前記位置決め部の各々は、第１リブと前記第１リブに直交する第２リブとを備え、前記２つの第１リブは互いに平行でかつ前記２つの磁極の間に離間して配置され、前記第２リブの各々は、前記第１リブのうちの対応する一方から他方の第１リブに向かう方向に延び、前記磁極の前記遠位端は、前記第１リブ、第２リブ、及び前記スリーブの前記外壁面との間に配置され、前記第１リブは前記磁極の接線方向の移動を制限し、前記第２リブは前記磁極の半径方向の移動を制限する、請求項８に記載の液体ポンプ。
【発明の詳細な説明】
【技術分野】
【０００１】
本開示は液体ポンプに関する。
【背景技術】
【０００２】
液体ポンプは、インペラと該インペラを駆動するモータとを有する。洗濯機や食器洗い機などの家庭器具では、器具内で衣類や食器類を洗浄するために清浄水を器具の中へ導いて最終的には器具から洗浄水を排出するために、液体ポンプを用いて水を加圧し送出する。従来型の既存の液体ポンプでは、液体が流れる時、特に排出される時に、液体は液体ポンプのハウジングに沿ってモータの巻線領域へ流れ、巻線の短絡を引き起こす可能性がある。従って、既存の液体ポンプ構造は、潜在的に電気安全上の問題を有する。
【発明の概要】
【発明が解決しようとする課題】
【０００３】
従って、ステータを効果的に隔離して電気的安全性を保証することができる液体ポンプに対する要求がある。
【課題を解決するための手段】
【０００４】
液体ポンプは、ハウジング、ハウジングに固定されるモータ、及びモータにより駆動されるインペラを含む。モータは、ステータとステータに対して回転可能なロータとを含む。インペラは、モータのロータに連結される。ハウジングは、ステータを取り囲むガイド壁と、ガイド壁へ流れる液体をステータから遠ざかる方向に流れるように誘導するためにガイド壁の外面から外方に延びるガイド面とを含む。
【０００５】
好ましくは、ガイド壁はＣ字形状である。ガイド壁の中間部は接線方向に下方へ延びて、ガイド面を形成する。ガイド面の下端部はガイド壁の下側部分から離間している。液体は、ガイド壁の上側部分に沿って下方へ流れ、連続的に流れてガイド面に沿って外部へ排出される。
【０００６】
従来技術に比較して、本開示の単相液体ポンプのハウジングはガイド壁を含む。ガイド壁は下方に延びるガイド面を含む。洗浄水は、ガイド壁の下側部分から離間したガイド面の案内の下で下方に流れてステータから離れた外部へ排出され、これによって液体ポンプの電気的安全性が保証される。
【図面の簡単な説明】
【０００７】
【図１】本開示の１つの実施形態による液体ポンプを示す。
【図２】別の角度から見た、図１の液体ポンプを示す。
【図３】図２の液体ポンプのハウジングを示す。
【図４】図２の液体ポンプの正面図である。
【発明を実施するための形態】
【０００８】
図面は縮尺通りに描かれていないこと、並びに一般的に類似の構造又は機能の要素は、図面全体に亘って例示目的で同様な参照数字によって表されることに留意されたい。さらに、図面は好ましい実施形態の説明を容易にすることだけを意図していることに留意されたい。図面は、記載される実施形態のすべての態様を示すという訳ではなく、本開示の範囲を限定しない。
【０００９】
図１から２を参照すると、本開示の１つの実施形態による液体ポンプは、ハウジング１０、ハウジング１０に固定されるモータ１２、及びモータ１２により駆動されるインペラ１４を含む。モータ１２は、ステータとステータに対して回転可能なロータとを含む単相永久磁石モ―タであることが好ましい。好ましくは、ステータは、周りに巻線を巻き付けたＵ字型磁心により形成される。磁心は１対の磁極（図示せず）を成す。磁極１６は、ロータを受け入れるための空間を定める。ロータは、ステータの磁極１６間の空間に回転可能に配置され、好ましくは、１対の永久磁石を含む永久磁石ロータである。モータ１０が電源オンになると、巻線はエネルギーを与えられてステータの磁極を分極させ、ステータの磁場はロータの永久磁石の磁場と相互作用してロータを連続的に回転させる。インペラ１４は、ロータと共に同期回転するためにロータに連結される。
【００１０】
ハウジング１０は、ロータ及びインペラ１４からステータを隔離して、水がステータに入って巻線の短絡を生じないようにする。ハウジング１０は、水が排出されるように案内するためのガイド壁１８と、ステータとロータの間に形成されるスリーブ２０とを含む。スリーブ２０は、内部にロータを受け入れる円筒状構造である。スリーブ２０及びガイド壁１８は、その間にステータを受け入れる空間を定める。この実施形態では、ステータの磁極１６はスリーブ２０の周りに固定的に取り付けられる。スリーブ２０の外壁面には、ステータを位置決めして取り付けるための位置決め部２２が形成される。
【００１１】
好ましくは、スリーブ２０の軸方向に沿って延びる２つの位置決め部が存在する。各位置決め部２２はステータの１つの磁極１６と係合し、第１リブ２４と第１リブ２４に直交する第２リブ２６とを含む。２つの第１リブ２４は、互いに平行に離間して配置される。２つの第１リブ２４の外壁面間の距離は、２つの磁極１６間の間隔と実質的に等しい。２つの第２リブ２６は同一平面上にある。各第２リブ２６は、一方の対応する第１リブ２４の外壁面から垂直に他方の第１リブ２４から遠ざかる方向に延びる。好ましくは、第２リブ２６と第１リブ２４との間の連結領域は、第１リブ２４とスリーブ２０との間の連結領域からある距離だけオフセットしている。位置決め部２２は、文字「Ｔ」の形の全体的断面を有する。各位置決め部２２の第１リブ２４、第２リブ２６、スリーブ２０の外壁面との間に小さな空間が形成される。
【００１２】
組立時に、ステータの２つの磁極１６は２つの位置決め部２２の外側に配置され、スリーブ２０の外壁面周りに軸方向に沿って取り付けられる。軸方向に延びる位置決め部２２は、迅速な組み立てのために磁極１６とスリーブ２０との間の相対移動を案内することができる。組立後は、２つの磁極１６の遠位端は、それぞれ２つの位置決め部２２とスリーブ２０の外壁面との間の小さな空間に係止される。第１リブ２４は接線方向の磁極１６の位置を制限し、第２リブ２６は半径方向の磁極１６の位置を制限して、組立後のステータの磁極１６の回転又はぐらつきを防止する。これにより、ステータとロータとの間の同軸性が確保され、モータ１２の円滑な動作が維持され、騒音が低減する。
【００１３】
図３及び４を参照すると、ガイド壁はステータを取り囲み、全体としてＣ字形の弧状構造を有する。ガイド壁１８の中間部は接線方向に下方へ延びて、ガイド面２８を形成する。ガイド面２８は、好ましくは垂直平面である。好ましくは、作動中、モータ１２は通常その中心軸が水平方向に延びた状態で水平方向に配置され、ガイド壁１８の中間部はモータ１２のシャフトの中心軸と実質的に同じ高さである。ガイド面は弧状表面の中間部から下方にある幅で延びるので、ガイド面２８の下端部はモータ１２のシャフトの中心軸より低い。ガイド面２８は接線方向に延びるので、ガイド面２８の下端部はガイド壁１８の下側部分から離間している。
【００１４】
洗浄水が排出される際に、洗浄水は弧状ガイド壁１８の上側部分に沿って下方へ流れる。ガイド面２８へ流れると、洗浄水は重力及び遠心力の下でガイド面２８に沿って迅速に下方へ流出する。ガイド面２８の下端部はガイド壁の下側部分から離間しているので、洗浄水はガイド壁１８の下側部分へは流れないことになる。むしろ、洗浄水はガイド面２８に沿ってステータから遠ざかるように流れて最終的には外側へ排出され、従ってステータの電気的安全性が確保される。ガイド面の下端部がガイド壁１８の下側部分からある距離だけ離間している限り、ガイド面２８は、垂直方向に対してある偏向角を持つことができるということを理解されたい。好ましくは、ガイド面２８はステータから離れる側に偏向し、これにより洗浄水はステータから遠ざかるように導かれる。代わりに、ガイド面２８は、洗浄水をステータから離れるように導くためにガイド壁１８の上側部分と協働してＳ字形状構造を形成する、内方に凹形の弧状表面とすることができる。
【００１５】
好ましくは、ガイド壁１８はその縁部にフランジ３０を形成する。フランジ３０は、ガイド壁１８に垂直とすることができ、ガイド壁１８上方にある高さだけ垂直かつ上方に延び、これが水平方向への洗浄水を遮る。洗浄水がガイド壁１８に沿って下方に流れる際に、フランジ３０は、ステータの電気的安全性に影響を及ぼすことになる、洗浄水の一部が水平方向に流れてガイド壁１８内の空間に飛散するのを防ぐ。この実施形態では、フランジ３０はガイド面２８の下端部まで延び、洗浄水がガイド壁１８に沿って下方に流れてガイド面２８の案内の下で外部へ排出されることを保証する。洗浄水はステータから遠ざかり、従って液体ポンプの電気的安全性が保証される。
【００１６】
本発明を１又は２以上の好ましい実施形態に関して説明したが、様々な変更形態が可能であることは当業者に理解されるはずである。従って、本発明の範囲は、以下の請求項の参照により決定されることになる。
【符号の説明】
【００１７】
１０  ハウジング
１２  モータ
１８  ガイド壁
２０  スリーブ
２８  ガイド面
【図１】
2017082763.tif 000003
【図２】
2017082763.tif 000004
【図３】
2017082763.tif 000005
【図４】
2017082763.tif 000006
【外国語明細書】
2017082763000001.pdf